(57)【要約】【課題】ヒンジ体を利用してテーブル本体の使用時の歪みや回動操作時の捩れなどを効果的に減じるようにする。【解決手段】シートバックＳＢの背部ＳＢ’への取り付け部２０ａを備えた一方ヒンジ構成体２０と、この一方ヒンジ構成体２０に一端側で回動可能に組み付け合わされると共にこの一端と他端との間にテーブル本体１の裏面部１０への取り付け支持部２１ａを備えた他方ヒンジ構成体２１とからなるヒンジ体２を備えている。ヒンジ体２の取り付け支持部２１ａが、テーブル本体１の使用位置においてシートバックＳＢの背部ＳＢ’から突き出す方向におけるこのテーブル本体１の寸法Ｌ１の約半分かそれ以上の長さＬ２を持つようにしてある。【選択図】図２
2007283879.tif 000002
【特許請求の範囲】
【請求項１】
テーブル本体と、
シートバックの背部への取り付け部を備えた一方ヒンジ構成体と、この一方ヒンジ構成体に一端側で回動可能に組み付け合わされると共にこの一端と他端との間にテーブル本体の裏面部への取り付け支持部を備えた他方ヒンジ構成体とからなるヒンジ体とを備えており、
このヒンジ体によってテーブル本体の裏面部をシートバックの背部に沿わせた仕舞い位置とテーブル本体の表面部を略水平に位置させた使用位置との間でのテーブル本体の回動がなされるようになっていると共に、
このヒンジ体の取り付け支持部が、テーブル本体の使用位置においてシートバックの背部から突き出す方向に長く延びるように構成してあることを特徴とするシートバック用テーブル。
【請求項２】
ヒンジ体の取り付け支持部が、テーブル本体の使用位置においてシートバックの背部から突き出す方向におけるこのテーブル本体の寸法の約半分かそれ以上の長さを持つようにしてあることを特徴とする請求項１記載のシートバック用テーブル。
【請求項３】
左右一対のヒンジ体によってテーブル本体を支持するようにしてあることを特徴とする請求項１又は請求項２記載のシートバック用テーブル。
【請求項４】
一方ヒンジ構成体と他方ヒンジ構成体との回動組み付け部分に、少なくともテーブル本体の仕舞い位置とテーブル本体の使用位置とにおいて掛合し合って、少なくともこの両位置において一方ヒンジ構成体と他方ヒンジ構成体とがなす姿勢を維持する掛合手段が備えられていることを特徴とする請求項１〜請求項３のいずれか１項に記載のシートバック用テーブル。
【請求項５】
掛合手段の掛合が、使用位置にあるテーブル本体に上方より所定の大きさ以上の荷重が作用されたときには、解除されるようになっていることを特徴とする請求項４記載のシートバック用テーブル。
【請求項６】
テーブル本体の、使用位置において前端側となる縁部、及びこの前端と後端との間に亘る側縁部との間に間隔を開けた位置において、このテーブル本体の裏面部にヒンジ体の取り付け支持部が取り付けられていることを特徴とする請求項１〜請求項５のいずれか１項に記載のシートバック用テーブル。
【請求項７】
テーブル本体の縁部に、その裏面部側において、周回立ち上がり部が形成されており、取り付け支持部がこの周回立ち上がり部の突き出し端から突き出さないようになっていることを特徴とする請求項１〜請求項６のいずれか１項に記載のシートバック用テーブル。
【請求項８】
テーブル本体に容器の胴部の通し穴が形成されていると共に、
このテーブル本体の裏面部側に、テーブル本体に回動可能に組み付けられたアーム部と、容器の底部の支持部とを備えた容器支持体を備えており、
しかも、スプリング一端をテーブル本体に止着させ、かつ、スプリング他端をアーム部に止着させたターンオーバースプリングによって、容器支持体が、テーブル本体の裏面部側から通し穴を支持部により塞ぐ第一回動位置と、この裏面部から離れたこの通し穴の直下に支持部を位置させる第二回動位置とにおいてそれぞれ、位置づけられるようになっていることを特徴とする請求項１〜請求項７のいずれか１項に記載のシートバック用テーブル。
【発明の詳細な説明】
【技術分野】
【０００１】
この発明は、座席のシートバックの背部に仕舞い位置と使用位置との間に亘る回動可能に備えられて、この使用位置においてこの座席の後方においてテーブルとして利用されるシートバック用テーブルの改良に関する。
【背景技術】
【０００２】
ヒンジ部を介してシートバックに上下回動可能に取り付けられるテーブル本体と、ブラケットを介してシートバック側に後端で回動可能に支持されるシャフトとを備え、このシャフトの先端をテーブル本体に設けたガイド溝に入れ込ませることにより、テーブル本体が水平となる使用位置にある状態を維持するようにした座席用テーブルとして特許文献１に示されるものなどがある。
【０００３】
ここで、軽量化の観点からはかかるテーブル本体は薄肉の板体、特に合成樹脂の薄肉の板体から構成することが望まれるところであるが、単純に前記のようなテーブル本体を薄肉に構成するとテーブル本体が使用時に歪むなどし易く、このためまた、前記使用位置と格納位置とに亘るテーブル本体の回動操作時にテーブル本体に捩れを生じこの回動操作を円滑に行い難くする。こうしたことから、この種のテーブル本体をできるだけ薄肉に構成させながら、その剛性を効果的に高めることが望まれるところであった。
【特許文献１】特開２００２−３６９３０号公報
【発明の開示】
【発明が解決しようとする課題】
【０００４】
この発明が解決しようとする主たる問題点は、この種のシートバック用テーブルにおいて、テーブル本体自体の剛性を高めなくても、これをシートバックに回動可能に組み付けるためのヒンジ体を利用してテーブル本体の使用時の歪みや回動操作時の捩れなどを効果的に減じるようにする点にある。
【課題を解決するための手段】
【０００５】
前記課題を達成するために、この発明にあっては、シートバック用テーブルを、以下の（１）〜（４）この構成を備えたものとした。
（１）テーブル本体と、
（２）シートバックの背部への取り付け部を備えた一方ヒンジ構成体と、この一方ヒンジ構成体に一端側で回動可能に組み付け合わされると共にこの一端と他端との間にテーブル本体の裏面部への取り付け支持部を備えた他方ヒンジ構成体とからなるヒンジ体とを備えており、
（３）このヒンジ体によってテーブル本体の裏面部をシートバックの背部に沿わせた仕舞い位置とテーブル本体の表面部を略水平に位置させた使用位置との間でのテーブル本体の回動がなされるようになっていると共に、
（４）このヒンジ体の取り付け支持部が、テーブル本体の使用位置においてシートバックの背部から突き出す方向に長く延びるように構成してある。
【０００６】
かかる構成によれば、使用位置にあるテーブル本体に、その利用によって荷重が作用されたときの、テーブル本体の変形を、ヒンジ体の取り付け支持部の長さによって、テーブル本体の剛性を高めることなく、できる限り減少させることができる。また、テーブル本体の使用位置と仕舞い位置とに亘る回動操作においても、テーブル本体の捩れ歪みを生じることなく、ヒンジ体における一方ヒンジ構成体と他方ヒンジ構成体との回動組み付け箇所を中心としてテーブル本体を安定的に回動させることができる。すなわち、テーブル本体を軽量な合成樹脂などによって構成させておきながら、このテーブル本体のいわば骨としてヒンジ体の取り付け支持部を機能させることにより、このテーブル本体にできるだけ歪みなどが生じないようにすることができる。
【０００７】
かかるヒンジ体の取り付け支持部を、テーブル本体の使用位置においてシートバックの背部から突き出す方向におけるこのテーブル本体の寸法の約半分かそれ以上の長さを持つようにしておけば、かかる取り付け支持部による前記機能を効果的に発揮させることができる。
【０００８】
左右一対のヒンジ体によってテーブル本体を支持するようにしておくこともある。このようにした場合、テーブル本体をより変形少なく、かつ、安定的に、ヒンジ体を介してシートバックに取り付け、また、支持することができる。
【０００９】
前記一方ヒンジ構成体と他方ヒンジ構成体との回動組み付け部分に、少なくともテーブル本体の仕舞い位置とテーブル本体の使用位置とにおいて掛合し合って、少なくともこの両位置において一方ヒンジ構成体と他方ヒンジ構成体とがなす姿勢を維持する掛合手段を備えさせておくこともある。
【００１０】
この場合にはさらに、掛合手段の掛合が、使用位置にあるテーブル本体に上方より所定の大きさ以上の荷重が作用されたときには、解除されるようにしておくこともある。
【００１１】
このようにした場合、テーブル本体が使用位置にある状態と仕舞い位置にある状態をそれぞれ、ヒンジ体によって安定的に維持することができる。また、例えば、使用位置にあるテーブル体に通常のテーブルとしての使用では作用されない大きさの力が作用されたときには、テーブル体の仕舞い位置への回動を生じさせてこうした大きさの力の作用によるヒンジ体の破損を防止することができる。
【００１２】
また、前記テーブル本体の、使用位置において前端側となる縁部、及びこの前端と後端との間に亘る側縁部との間に間隔を開けた位置において、このテーブル本体の裏面部にヒンジ体の取り付け支持部を取り付けるようにしておけば、かかる間隔によってテーブル本体の縁部を把持などしてなすその回動操作などにあたり指がヒンジ体に接することがない。
【００１３】
前記テーブル本体の縁部に、その裏面部側において、周回立ち上がり部を形成させ、取り付け支持部がこの周回立ち上がり部の突き出し端から突き出さないようにしておけば、他方ヒンジ構成体の取り付け支持部を周回立ち上がり部の突き出し端とテーブル本体の裏面部との間内に納めることができる。
【００１４】
前記テーブル本体に容器の胴部の通し穴を形成させておくと共に、
このテーブル本体の裏面部側に、テーブル本体に回動可能に組み付けられたアーム部と、容器の底部の支持部とを備えた容器支持体を備えさせ、
さらに、スプリング一端をテーブル本体に止着させ、かつ、スプリング他端をアーム部に止着させたターンオーバースプリングによって、この容器支持体が、テーブル本体の裏面部側から通し穴を支持部により塞ぐ第一回動位置と、この裏面部から離れたこの通し穴の直下に支持部を位置させる第二回動位置とにおいてそれぞれ、位置づけられるようにしておくこともある。
【００１５】
このようにした場合、テーブル本体を使用位置に回動させただけでは通し穴が開放されないようにすることができる。この状態から通し穴に容器を入れ込むと支持部が押されて容器支持体は第一回動位置から第二回動位置に回動され、入れ込まれた容器の底部を支持部によって支える。この状態から容器を通し穴から抜き出しても容器支持体は第二回動位置に位置づけさせ続けられる。
【発明の効果】
【００１６】
この発明にかかるシートバック用テーブルにあっては、一方ヒンジ構成体をその取り付け部をもってシートバックに取り付けるだけでテーブル本体をシートバックに回動可能に備え付けることができると共に、他方ヒンジ構成体の取り付け支持部をもって、かかるテーブル本体自体の剛性を高めなくても、テーブル本体の使用時の歪みや回動操作時の捩れなどを効果的に減じることができる。
【発明を実施するための最良の形態】
【００１７】
以下、図１〜図１２に基づいて、この発明を実施するための最良の形態について説明ずる。
【００１８】
なお、ここで図１は、実施の形態にかかるシートバック用テーブルをテーブル本体１の裏面部１０側から見た状態として、図２〜図５は、使用位置にあるテーブル本体１の要部をそれぞれ示しており、特に、図２および図３このテーブル本体１に備えられた容器支持体１３が第二回動位置にある状態を、また、図４はこのテーブル本体１に備えられた容器支持体１３が第一回動位置にある状態を示している。また、図６は、かかるテーブルを、ヒンジ体２の化粧カバー３、４を取り外した状態で示している。
【００１９】
図７〜図１１はぞれぞれ、ヒンジ体２の一つを表しており、特に図８はテーブル本体１を仕舞い位置に位置づけるときのヒンジ体２の様子を示している。また、図１２は、一対のヒンジ体２と、これらに対する化粧カバー３、４とを、分離させた状態で示している。
【００２０】
この実施の形態にかかるシートバック用テーブルは、座席のシートバックＳＢ（背もたれ部）の背部ＳＢ’に仕舞い位置と使用位置との間に亘る回動可能に備えられて、この使用位置においてこの座席の後方においてテーブルとして利用されるものである。
【００２１】
かかるテーブルは、典型的には、自動車、航空機、鉄道車両、船舶などの座席に取り付けられて、その座席の後方に位置される座席を利用する者のテーブルとして利用されるものである。
【００２２】
かかるテーブルは、テーブル本体１と、ヒンジ体２とを備えている。
【００２３】
テーブル本体１は、かかるヒンジ体２によって、テーブル本体１の裏面部１０をシートバックＳＢの背部ＳＢ’に沿わせた仕舞い位置とテーブル本体１の表面部を略水平に位置させた使用位置との間での回動可能な状態でシートバックＳＢの背部ＳＢ’に取り付けられるようになっている。
【００２４】
図示の例では、かかるテーブル本体１を、取り付け対象となる座席の左右方向に沿った向きに長く、かつ、この座席の前後方向に短い、略長方形の盤状をなすように構成させている。かかるテーブル本体１の縁部には、このテーブル本体１の裏面部１０側において、周回立ち上がり部１１が形成されており、前記仕舞い位置ではこの周回立ち上がり部１１の突き出し端がシートバックＳＢの背部ＳＢ’に接するようになっている。また、この周回立ち上がり部１１によってテーブル本体１の裏面部１０側は、その使用位置において下面を開放させた箱状を呈しており、後述する他方ヒンジ構成体２０の取り付け支持部２１ａは周回立ち上がり部１１の突き出し端とテーブル本体１の裏面部１０との間内に納められ、また、前記仕舞い位置において折りたたまれたヒンジ体２はテーブル本体１内に納まるようになっている。
【００２５】
また、この実施の形態にあっては、前記テーブル本体１に飲料容器などの容器の胴部の通し穴１２が形成されていると共に、このテーブル本体１の裏面部１０側に、テーブル本体１に回動可能に組み付けられたアーム部１３ａと、容器の底部の支持部１３ｂとを備えた容器支持体１３が備えられている。そして、スプリング一端１３ｄをテーブル本体１に止着させ、かつ、スプリング他端１３ｅをアーム部１３ａに止着させたターンオーバースプリングによって、この容器支持体１３が、テーブル本体１の裏面部１０側から通し穴１２を支持部１３ｂにより塞ぐ第一回動位置（図３の位置）と、この裏面部１０から離れたこの通し穴１２の直下に支持部１３ｂを位置させる第二回動位置（図４の位置）とにおいてそれぞれ、位置づけられるようになっている。
【００２６】
図示の例では、かかるテーブル本体１の巾方向に沿った縁部の一方側に、容器の胴部の通し穴１２が形成されている。また、容器支持体１３は、テーブル本体１の裏面部１０であって、その後端側にアーム基部を回動可能に組み付けたアーム部１３ａと、このアーム部１３ａの突き出し端側に回動可能に組み付けられた容器の底部の支持部１３ｂとから構成されている。アーム部１３ａの長さ方向略中程の位置とその突き出し端との間は上下方向において開放された略方形の枠状をなすように構成されており、一方、支持部１３ｂはこの枠状部１３ｇ内に納まる板状をなすように構成されている。支持部１３ｂはこのアーム部１３ａの突き出し端において枠状部１３ｇに左右方向に軸線を沿わせた回動軸１３ｉをもって回動可能に組み付けられている。容器支持体１３の第一回動位置において支持部１３ｂは略水平に位置され通し穴１２を下方から塞ぐ。容器支持体１３が第二回動位置にありアーム部１３ａが突き出し端に向かうに連れて次第に斜め下がりとなったときは、支持部１３ｂは前記回動軸１３ｉより後方にあるその前端をアーム部１３ａの突き出し端側にある枠状部１３ｇの内部に形成された段差面１３ｈに下方から突き当てて容器支持体１３が第一回動位置にあるときと同様に略水平に位置づけられるようになっている。
【００２７】
図示の例では、ターンオーバースプリングは、スプリング巻回部１３ｆの巻回軸線を左右方向に配したねじりコイルバネ１３ｃによって構成されている。そのスプリング一端１３ｄは、アーム部１３ａの回動軸１３ｊと通し穴１２との間においてをテーブル本体１に止め着けられている。また、そのスプリング他端１３ｅは、前記回動軸１３ｊと枠状部１３ｇとの間においてアーム部１３ａに止め着けられている。アーム部１３ａの回動軸１３ｊとスプリング一端１３ｄの止着位置およびスプリング他端１３ｅの止着位置の位置関係は、スプリング一端１３ｄとスプリング他端１３ｅとの間の前後方向でのピッチを容器支持体１３が第一回動位置と第二回動位置との間の中間回動位置にあるときに最も狭くするようにしてある。そして、この中間回動位置に容器支持体１３があるときねじりコイルバネ１３ｃのスプリング巻回部１３ｆが弾性的に絞られるようになっている。これにより、容器支持体１３が第一回動位置にあるときは第二回動位置に向けた回動にねじりコイルバネ１３ｃが抵抗を与え、かつ、容器支持体１３が第二回動位置にあるときは第一回動位置に向けた回動にねじりコイルバネ１３ｃが抵抗を与えるようになっている。
【００２８】
これによりこの実施の形態にあっては、テーブル本体１を使用位置に回動させただけでは通し穴１２が開放されないようにすることができる。この状態から通し穴１２に容器を入れ込むと支持部１３ｂが押されて容器支持体１３は第一回動位置から第二回動位置に回動され、入れ込まれた容器の底部を支持部１３ｂによって支える。この状態から容器を通し穴１２から抜き出しても容器支持体１３は第二回動位置に位置づけさせ続けられる。
【００２９】
ヒンジ体２は、一方ヒンジ構成体２０と他方ヒンジ構成体２１とを組み合わせてなる。かかる一方ヒンジ構成体２０は、シートバックＳＢの背部ＳＢ’への取り付け部２０ａを備えている。他方ヒンジ構成体２１は、この一方ヒンジ構成体２０に一端側で回動可能に組み付け合わされると共にこの一端と他端との間にテーブル本体１の裏面部１０への取り付け支持部２１ａを備えている。
【００３０】
図示の例では、一方ヒンジ構成体２０は、金属の板材に曲げ加工などを施すことにより構成されている。取り付け部２０ａは、シートバックＳＢの背部ＳＢ’の傾斜に倣った傾斜を持ち、かつ、上下方向に長い板状をなすように構成されている。この取り付け部２０ａには上下に間隔を開けて一対のネジの通し穴２０ｂ、２０ｂが備えられており、この通し穴２０ｂを利用してシートバックＳＢへの取り付けがなされるようにしてある。また、一方ヒンジ構成体２０はこの取り付け部２０ａの上下方向に沿った一方縁部から後方に突き出す突き出し部２０ｃを備えている。この突き出し部２０ｃは、一辺を取り付け部２０ａの上下方向に沿った一方縁部に一体に連接させた三角板部２０ｄと、略円形をなす丸板部２０ｆと、この丸板部２０ｆの内外面を共に三角板部２０ｄの内外面と平行に位置づけるようにこの丸板部２０ｆの下部と三角板部２０ｄの上辺とをつなぐ連接板部２０ｈとから構成されている。連接板部２０ｈは、三角板部２０ｄの上辺から斜め上方に突き出しており、この連接板部２０ｈによって丸板部２０ｆの面は三角板部２０ｄの外面２０ｅ（取り付け部２０ａとの間に内隅を作る側と反対側にある面）の外側に位置されるようになっている。また、丸板部２０ｆには、軸体２２の通し穴２０ｇが形成されている。
【００３１】
一方、他方ヒンジ構成体２１も、金属の板材に曲げ加工などを施すことにより構成されている。他方ヒンジ構成体２１の取り付け支持部２１ａは、テーブル本体１の仕舞い位置において上下方向に長く、かつ、その使用位置において前後方向に長くなるように配された長板状をなすように構成されている。この取り付け支持部２１ａにはその長さ方向に間隔を開けて三箇所のネジの通し穴２１ｂが備えられており、この通し穴２１ｂを利用してテーブル本体１の裏面部１０への取り付けがなされるようにしてある。また、他方ヒンジ構成体２１における取り付け支持部２１ａの長さ方向に沿った一方縁部は、テーブル本体１の使用位置において上方に突き出す立ち上がり部２１ｃによって縁取られている。他方ヒンジ構成体２１も、軸体２２の通し穴２１ｆを備えた略円形をなす丸板部２１ｅを備えている。この丸板部２１ｅは、その面を取り付け支持部２１ａの面に直交させる向きに配させるように、連接板部２１ｇを介して取り付け支持部２１ａの一端側に連接されている。具体的には、接続板部２１ｇは前記立ち上がり部２１ｃに連続しており、取り付け支持部２１ａの一端からこの取り付け支持部２１ａの一方縁部から離れる向きの傾斜を持ちながら突き出しており、この連接板部２１ｇによって丸板部２１ｅの面は、立ち上がり部２１ｃの外面２１ｄ（取り付け支持部２１ａとの間に内隅を作る側と反対側にある面）の外側に位置されるようになっている。
【００３２】
そして、図示の例にあっては、かかる一方ヒンジ構成体２０の丸板部２０ｆの通し穴２０ｇと他方ヒンジ構成体２１の丸板部２１ｅの通し穴２１ｆとに軸体２２を通し固定することで、一方ヒンジ構成体２０に他方ヒンジ構成体２１を回動可能に組み合わせている。図示の例では軸体２２は、頭部２２ａと脚部２２ｂとを有しており、一方ヒンジ構成体２０の取り付け部２０ａの外面と他方ヒンジ構成体２１の立ち上がり部２１ｃの外面との間に軸体２２の軸線方向（左右方向）において両者を干渉させない間隔を開けるようにして一方ヒンジ構成体２０の丸板部２０ｆの一面と他方ヒンジ構成体２１の丸板部２１ｅの一面とを向き合わせた状態から、他方ヒンジ構成体２１の丸板部２１ｅの通し穴２１ｆから入れ込ませた軸体２２の脚部２２ｂをカシメて一方ヒンジ構成体２０に固定することにより、一方ヒンジ構成体２０に他方ヒンジ構成体２１を軸支させている。
【００３３】
また、この実施の形態にかかるシートバックＳＢ用テーブルにあっては、ヒンジ体２の取り付け支持部２１ａが、テーブル本体１の使用位置においてシートバックＳＢの背部ＳＢ’から突き出す方向におけるこのテーブル本体１の寸法Ｌ１の約半分かそれ以上の長さＬ２を持つようにしてある。
【００３４】
これにより、使用位置にあるテーブル本体１に、その利用によって荷重が作用されたときの、テーブル本体１の変形を、ヒンジ体２の取り付け支持部２１ａの長さによって、テーブル本体１の剛性を高めることなく、できる限り減少させることができる。また、テーブル本体１の使用位置と仕舞い位置とに亘る回動操作においても、テーブル本体１の捩れ歪みを生じることなく、ヒンジ体２における一方ヒンジ構成体２０と他方ヒンジ構成体２１との回動組み付け箇所を中心としてテーブル本体１を安定的に回動させることができる。すなわち、テーブル本体１を軽量な合成樹脂などによって構成させておきながら、このテーブル本体１のいわば骨としてヒンジ体２の取り付け支持部２１ａを機能させることにより、このテーブル本体１にできるだけ歪みなどが生じないようにすることができる。かかるヒンジ体２は前記金属の他、剛性の高い合成樹脂から構成してあっても良い。
【００３５】
また、この実施の形態にあっては、左右一対の前記ヒンジ体２によって前記テーブル本体１を支持するようにしてあり、テーブル本体１をより変形少なく、かつ、安定的に、ヒンジ体２を介してシートバックＳＢに取り付け、また、支持できるようになっている。
【００３６】
また、この実施の形態にあっては、一方ヒンジ構成体２０と他方ヒンジ構成体２１との回動組み付け部分に、少なくともテーブル本体１の仕舞い位置とテーブル本体１の使用位置とにおいて掛合し合って、少なくともこの両位置において一方ヒンジ構成体２０と他方ヒンジ構成体２１とがなす姿勢を維持する掛合手段２３が備えられている。
【００３７】
図示の例では、一対のヒンジ体２のそれぞれにおいて、一方ヒンジ構成体２０の丸板部２０ｆと他方ヒンジ構成体２１の丸板部２１ｅの間にある軸体２２に二枚のワッシャー体２３ａ、２３ａが通されこれらの間に挟み込まれている。二枚のワッシャー体２３ａ、２３ａは、スプリングワッシャーとしての機能を持つように構成されており、その弾発力によって、二枚のワッシャー体２３ａ、２３ａの一方の一面は一方ヒンジ構成体２０の丸板部２０ｆの面に、二枚のワッシャー体２３ａ、２３ａの他方の一面は他方ヒンジ構成体２１の丸板部２１ｅの面にそれぞれ常時押し付けられていると共に、両ワッシャー体２３ａ、２３ａの他面同士は圧接されている。この二枚のワッシャー体２３ａ、２３ａの一方にはその直径方向両側に隆起部２３ｂが形成されており、一方、二枚のワッシャー体２３ａ、２３ａの他方にはこのワッシャー体２３ａの円周方向において略９０度毎に隆起部２３ｂの入り込む凹所２３ｃが形成されている。そして、この例では、使用位置と仕舞い位置との間に亘ってテーブル本体１が略９０度回動されるようになっていると共に、それぞれの位置においてワッシャー体２３ａの一方の隆起部２３ｂが他方の凹所２３ｃに入り込むようになっている。すなわち、この実施の形態にあっては、かかる二枚のワッシャー体２３ａ、２３ａが前記掛合手段２３として機能するようになっている。
【００３８】
これにより、この実施の形態にあっては、テーブル本体１が使用位置にある状態と仕舞い位置にある状態をそれぞれ、ヒンジ体２によって安定的に維持することができるようになっている。
【００３９】
かかる掛合手段２３の掛合が、使用位置にあるテーブル本体１に上方より所定の大きさ以上の荷重が作用されたときに、解除されるようにしておけば、例えば、使用位置にあるテーブル体に通常のテーブルとしての使用では作用されない大きさの力が作用されたときには、テーブル体の仕舞い位置への回動を生じさせてこうした大きさの力の作用によるヒンジ体２の破損を防止することができる。
【００４０】
図示の例では、前記ワッシャー体２３ａの弾発力、隆起部２３ｂの高さ、隆起部２３ｂの形状、凹所２３ｃの形状などを調整することにより、この解除が生じる場合の力の設定をなすことができる。
【００４１】
また、この実施の形態にあっては、テーブル本体１の、使用位置において前端側となる縁部１４、及びこの前端と後端との間に亘る側縁部１５との間に間隔Ｓを開けた位置において、このテーブル本体１の裏面部１０にヒンジ体２の取り付け支持部２１ａが取り付けられている。これにより、この実施の形態にあっては、かかる間隔Ｓによってテーブル本体１の縁部を把持などしてなすその回動操作などにあたり指がヒンジ体２に接することがないようになっている。
【００４２】
図示の例にあっては、テーブル本体１の長さ方向略中程の位置を挟んだ一方側において、この一方側の長さ方向略中程の位置に一対のヒンジ体２の一方の一方ヒンジ構成体２０の取り付け支持部２１ａが配されるようにこのヒンジ体２の他方ヒンジ構成体２１がテーブル本体１の裏面部１０に取り付けられていると共に、
テーブル本体１の長さ方向略中程の位置を挟んだ他方側において、この他方側の長さ方向略中程の位置に一対のヒンジ体２の他方の一方ヒンジ構成体２０の取り付け支持部２１ａが配されるようにこのヒンジ体２の他方ヒンジ構成体２１がテーブル本体１の裏面部１０に取り付けられている。
【００４３】
この例では、他方ヒンジ構成体２１の取り付け支持部２１ａは、テーブル本体１の裏面部１０に形成されたこのテーブル本体１の巾方向に沿った細長い台状部１６の長さ方向に沿った一側面に立ち上がり部２１ｃを接しさせ、かつ、この台状部１６の突き出し端面に取り付け支持部２１ａを接しさせるようにして、テーブル本体１に取り付けられている。この台状部１６に取り付けられた取り付け支持部２１ａの一端とテーブル本体１の後端側にある周回立ち上がり部１１の内面および取り付け支持部２１ａの他端とテーブル本体１の前端側にある周回立ち上がり部１１の内面との間にはそれぞれ間隔が形成されるようになっており、また、一方ヒンジ構成体２０と他方ヒンジ構成体２１は前記のように干渉しないように組み合わされていることから、仕舞い位置にテーブル本体１を回動させるとヒンジ体２はこのテーブル本体１の裏面部１０内に納められる。
【００４４】
左右一対のヒンジ体２は、その軸体２２の中心軸線を、シートバックＳＢの左右方向に沿った同一の仮想の直線上に位置させるように配される。また、図示の例では、一対のヒンジ体２の他方ヒンジ構成体２１はそれぞれテーブル本体１の中央側にそれぞれ位置されるようになっている。
【００４５】
また、この例にかかるテーブルは、前記ヒンジ体２における一方ヒンジ構成体２０の化粧カバー３と、他方ヒンジ構成体２１の化粧カバー４とを備えている。両化粧カバー３、４共に合成樹脂から構成されている。
【００４６】
一方ヒンジ構成体２０の化粧カバー３は、
取り付け部２０ａを前方から覆うと共に、ネジの通し穴３０ａを備えた基部カバー部３０と、
丸板部２０ｆにおける他方ヒンジ構成体２１の丸板部２１ｅに向き合わない側を覆う先端カバー部３１と、
連接板部２０ｈを覆う中間カバー部３２とを備えている。
【００４７】
この一方ヒンジ構成体２０の化粧カバー３は、基部カバー部３０の通し穴３０ａを通じて取り付け部２０ａの通し穴２０ｂを通ってシートバックＳＢの背部ＳＢ’に止着されるネジを利用して、一方ヒンジ構成体２０と一体化される。
【００４８】
他方ヒンジ構成体２１の化粧カバー４は、
取り付け支持部２１ａにおけるテーブル本体１への取り付け側と反対の側を覆う主カバー部４０と、
丸板部２１ｅにおける一方ヒンジ構成体２０の丸板部２０ｆに向き合わない側を覆う基部カバー部４１と、
連接板部２１ｇを覆う中間カバー部４２とを備えている。
【００４９】
この例では、かかる化粧カバー４には、取り付け支持部２１ａの長さ方向の両側にある縁部に掛合する爪部４３が備えられており、この爪部４３をこの縁部におけるテーブル本体１への取り付け側に引っかけて、化粧カバー４は他方ヒンジ構成体２１と一体化される。
【図面の簡単な説明】
【００５０】
【図１】テーブルの裏面図
【図２】図１におけるＡ−Ａ線断面図
【図３】図１におけるＢ−Ｂ線断面図
【図４】容器支持体１３が第一回動位置にあるときの断面図
【図５】テーブルの要部平面図
【図６】テーブルの要部斜視図
【図７】ヒンジ体２の斜視図
【図８】ヒンジ体２の斜視図
【図９】同平面図
【図１０】同正面図
【図１１】同右側面図
【図１２】ヒンジ体２と化粧カバー３、４の分離斜視図
【符号の説明】
【００５１】
１  テーブル本体
１０  裏面部
２  ヒンジ体
２０  一方ヒンジ構成体
２０ａ  取り付け部
２１  他方ヒンジ構成体
２１ａ  取り付け支持部
ＳＢ  シートバック
ＳＢ’  背部
Ｌ１  寸法
Ｌ２  長さ
【図１】
2007283879.tif 000003
【図２】
2007283879.tif 000004
【図３】
2007283879.tif 000005
【図４】
2007283879.tif 000006
【図５】
2007283879.tif 000007
【図６】
2007283879.tif 000008
【図７】
2007283879.tif 000009
【図８】
2007283879.tif 000010
【図９】
2007283879.tif 000011
【図１０】
2007283879.tif 000012
【図１１】
2007283879.tif 000013
【図１２】
2007283879.tif 000014